(57)【要約】【課題】シンクロ録画機能を用いて録画する場合、映像出力を録画予約時のみに限定することで、シンクロ録画機能の誤動作を防止することができる映像出力装置を提供する。【解決手段】  映像出力装置１００において、受信回路１１と、出力回路１２と、映像出力手段が電源オン時に映像信号を出力する第１の出力モードと、電源オン時に映像信号を出力しない第２の出力モードとを選択する出力モード選択手段１５と、制御部１６とを備え、制御部１６は、出力モード選択手段１５により第２の出力モードが選択された場合、電源オン時に映像信号を出力しないようにすると共に、電源入り時且つ予約録画実行中の状態に、およびスタンバイ時且つ予約録画実行中の状態に映像信号を出力するように制御する。これにより、シンクロ録画機能を用いて録画する場合、映像出力を録画予約時のみに限定することで、シンクロ録画機能の誤動作を防止することができる。【選択図】        図１
2005277604.tif 000002
【特許請求の範囲】
【請求項１】
映像信号をシンクロ録画機能を有する録画装置に出力する映像出力装置において、
映像信号を出力する映像出力手段と、
映像出力手段が電源オン時に映像信号を出力する第１の出力モードと、電源オン時に映像信号を出力しない第２の出力モードとを選択する出力モード選択手段と、
上記出力モード選択手段により上記第２の出力モードが選択された場合、電源オン時に映像信号を出力しないように、上記映像出力手段を制御する制御手段と
を備えることを特徴とする映像出力装置。
【請求項２】
上記制御手段は、上記出力モード選択手段により上記第２の出力モードが選択された場合、電源オン時に映像信号を出力しないと共に、電源オン時且つ予約録画実行中の状態に、およびスタンバイ時且つ予約録画実行中の状態に映像信号を出力するように、上記映像出力手段を制御する
ことを特徴とする請求項１に記載の映像出力装置。
【請求項３】
上記出力モード選択手段は、ユーザにより任意に操作可能な切り替えスイッチを備える
ことを特徴とする請求項１に記載の映像出力装置。
【請求項４】
映像信号をシンクロ録画機能を有する録画装置に出力する映像出力装置における出力制御方法であって、
電源オン時に映像信号を出力する第１の出力モード、または電源オン時に映像信号を出力しない第２の出力モードとを選択し、
上記第２の出力モードが選択された場合、電源オン時に映像信号を出力しないようにすると共に、電源オン時且つ予約録画実行中の状態に、およびスタンバイ時且つ予約録画実行中の状態に映像信号を出力するように制御する
ことを特徴とする出力制御方法。
【発明の詳細な説明】
【技術分野】
【０００１】
この発明は、映像信号をシンクロ録画機能を有する録画装置に出力する映像出力装置に関する。詳しくは、映像出力手段が電源オン時に映像信号を出力する第１の出力モードと、電源オン時に映像信号を出力しない第２の出力モードとを選択する出力モード選択手段と、この出力モード選択手段により第２の出力モードが選択された場合、電源オン時に映像信号を出力しないように、映像出力手段を制御する制御手段とを備える構成とすることによって、シンクロ録画機能を用いて録画する場合、映像出力を録画予約時のみに限定することで、シンクロ録画機能の誤動作を防止することができるようにした映像出力装置等に係るものである。
【背景技術】
【０００２】
従来、映像信号を録画装置に出力する機能を有する映像出力装置において、録画を行う際の操作方式はリモートコントロール（以下、「リモコン」という。）を用いて映像出力装置側からリモコンコードを送ることで録画装置を操作する方式である。
【０００３】
図４は、リモコンを用いて録画操作を行う場合の動作例を示す図である。この場合、画像出力装置１は録画装置２に接続されている。図４（ａ）は、録画装置に録画開始を指示する状態を示している。図４（ｂ）は、録画装置が録画実行する状態を示している。図４（ｃ）は、録画装置に録画終了を指示する状態を示している。図４（ｄ）は、録画終了後の状態を示している。
【０００４】
図４に示すように、映像を録画しようとする時、録画装置２がスタンバイ状態でリモコンを用いて録画開始を指示する。また、録画装置２が録画実行中に、リモコンを用いて録画終了を指示する。
【０００５】
電源がオンになっている状態では、映像出力装置１が常に映像信号を出力している。録画しようとする際に、映像出力機器がリモコンコードで操作する。この場合、録画装置は待機状態である場合、録画を実行する。
【０００６】
また、録画停止しようとする際も、映像出力機器がリモコンコードで操作する。この場合、録画装置は録画実行状態である場合、録画を停止し、待機状態になる。
【０００７】
現在、地上デジタル放送も始まり、テレビ、チューナーなど映像機器の出力を用いて、電子番組ガイド（ＥＰＧ）などから番組を選択し録画する頻度が多くなった。この場合、放送局から送られた番組情報をテレビ画面に一覧で表示する電子番組ガイドにより、チャンネル、番組名、開始時間、終了時間などの情報を用いた番組予約の場合、画面に表示された番組一覧から番組を選択するだけででき、開始日時および終了時間などの入力がなくて間違いが少なく簡単に予約することが可能である。
【０００８】
また、録画装置はシンクロ録画機能を有するものが多くなってきた。シンクロ録画機能は、「入力なし」状態から「入力有り」状態に変化があったときに録画が自動的に開始される機能である。映像出力機器では予約した番組が始まると、自動的に電源が入り、映像信号を出力することで録画することができる。特にチャンネルを合わせる必要もなく、自動で外部入力の映像を録画してくれるので、手間がかからない録画が可能である。
【０００９】
図５は、シンクロ録画機能を示す図である。映像出力装置１と、入力信号を感知して信号がある間に録画するシンクロ録画機能を有する録画装置２とから構成されるシステムにおいて、図５に示すように、録画装置２が待機状態では映像出力装置から出力はない、入力信号を感知して信号があったとき、録画を開始し、入力信号が無くなったとき、録画を終了する。
【００１０】
図６は、従来の映像出力装置の映像出力例を示す図である。図６（ａ）は、電源オン時の出力状態であり、図６（ｂ）は、電源オン時且つ予約録画実行中の出力状態であり、図６（ｃ）は、電源ＯＦＦ時の出力状態であり、図６（ｄ）は、スタンバイ時且つ予約録画実行中の出力状態である。
【００１１】
図７は、従来の映像出力装置１および録画装置２の状態と映像出力の関係を示す図である。図６および図７に示すように、映像出力装置１は電源オン時には映像信号を録画装置２に出力するようになっている。
【００１２】
映像出力装置と、シンクロ録画機能を有する録画装置とから構成されるシステムに関しては、例えば、任意の放送番組に関して宣伝広告情報を途中に挿入される番組情報内容を記録再生する場合に、映像などの番組情報内容をコマーシャルカットの状態でシームレスに視聴できる記録再生装置および記録再生方法が提案されている（例えば、特許文献１参照）。
【００１３】
この場合、チューナー付きのテレビモニタで受信されたアナログ映像信号をＨＤＤビデオレコーダにシンクロ録画する際に、テレビモニタおよびＨＤＤビデオレコーダの電源をオンすると、テレビモニタからは映像信号がＨＤＤビデオレコーダへ出力され、ＨＤＤビデオレコーダでは、受信した放送番組について二カ国語部分とステレオ部分とに分けてそれぞれ異なるディスク領域に格納する。
【００１４】
【特許文献１】特開２００２−１４２１９６号公報（第９頁、第７図）
【発明の開示】
【発明が解決しようとする課題】
【００１５】
上述したように、シンクロ録画機能を有する録画装置に映像信号を出力する映像出力装置、例えばテレビ、チューナーなどにおいて、「電源オン時」、または「スタンバイ時且つ予約録画実行時」には、常に映像を出力するようになっている。映像出力装置の信号出力側の「予約録画実行中」と、「電源オン状態」との区別が録画装置ではつかず、「電源オン状態」にも録画が始まってしまう誤動作が起きる問題があった。
【００１６】
また、現在主流のリモコンでの操作方式では、録画装置によって、リモコンコードが異なることにより対応できる録画装置に限りがあるという欠点があった。
【００１７】
また、特許文献１の場合は、上述したようにシンクロ録画する際に、テレビモニタおよびＨＤＤビデオレコーダの電源をオンすると、テレビモニタからは映像信号がＨＤＤビデオレコーダへ出力されるため、「予約録画実行中」と、「電源オン状態」との区別が録画装置ではつかない問題があった。
【００１８】
そこで、この発明は、シンクロ録画機能を用いて録画する場合、映像出力を録画予約時のみに限定することで、シンクロ録画機能の誤動作を防止することができるようにした映像出力装置および出力制御方法を提供することを目的とする。
【課題を解決するための手段】
【００１９】
この発明に係る映像出力装置は、映像信号をシンクロ録画機能を有する録画装置に出力する映像出力装置において、映像信号を出力する映像出力手段と、映像出力手段が電源オン時に映像信号を出力する第１の出力モードと、電源オン時に映像信号を出力しない第２の出力モードとを選択する出力モード選択手段と、出力モード選択手段により第２の出力モードが選択された場合、電源オン時に映像信号を出力しないように、映像出力手段を制御する制御手段とを備えるものである。
【００２０】
例えば、制御手段は、出力モード選択手段により第２の出力モードが選択された場合、電源オン時に映像信号を出力しないと共に、電源オン時且つ予約録画実行中の状態に、およびスタンバイ時且つ予約録画実行中の状態に映像信号を出力するように、映像出力手段を制御するようになされる。
【００２１】
この発明に係る出力制御方法は、映像信号をシンクロ録画機能を有する録画装置に出力する映像出力装置における出力制御方法であって、電源オン時に映像信号を出力する第１の出力モード、または電源オン時に映像信号を出力しない第２の出力モードとを選択し、第２の出力モードが選択された場合、電源オン時に映像信号を出力しないようにすると共に、電源オン時且つ予約録画実行中の状態に、およびスタンバイ時且つ予約録画実行中の状態に映像信号を出力するように制御するものである。
【００２２】
この発明においては、映像出力手段が電源オン時に映像信号を出力する第１の出力モードと、電源オン時に映像信号を出力しない第２の出力モードとを選択する出力モード選択手段と、この出力モード選択手段により第２の出力モードが選択された場合、電源オン時に映像信号を出力しないように、映像出力手段を制御する制御手段とを備え、第２の出力モードが選択された場合、電源オン時に映像信号を出力しないようにすると共に、電源オン時且つ予約録画実行中の状態に、およびスタンバイ時且つ予約録画実行中の状態に映像信号を出力するように制御するようになされる。
【００２３】
これにより、シンクロ録画機能を用いて録画する場合、映像出力を録画予約時のみに限定することで、シンクロ録画機能の誤動作を防止することが可能となる。
【００２４】
また、今まではシンクロ録画機能を用いて電源オン時には予約録画はできなかったが、電源オン時にも予約録画を行うことが可能となり、シンクロ録画機能を最大に活用することができ、機器の特定などがないため非常に有効となる。
【００２５】
また、ユーザがメニュー等で選択することにより従来の映像出力方法も使用可能となる。
【発明の効果】
【００２６】
この発明によれば、映像信号をシンクロ録画機能を有する録画装置に出力する映像出力装置において、映像出力手段が電源オン時に映像信号を出力する第１の出力モードと、電源オン時に映像信号を出力しない第２の出力モードとを選択する出力モード選択手段と、この出力モード選択手段により第２の出力モードが選択された場合、電源オン時に映像信号を出力しないように、映像出力手段を制御する制御手段とを備え、第２の出力モードが選択された場合、電源オン時に映像信号を出力しないように制御するものであり、シンクロ録画機能を用いて録画する場合、映像出力を録画予約時のみに限定することでシンクロ録画機能の誤動作を防止することができる。
【発明を実施するための最良の形態】
【００２７】
以下、図面を参照しながら、この発明の実施の形態の映像出力装置および出力制御方法について説明する。
【００２８】
図１は、本発明の実施の形態の映像出力装置１００の構成を示す図である。この場合、映像出力装置１００は、地上デジタル放送対応のテレビジョン受像機である。この映像出力装置１００で生成した映像信号を、地上デジタル放送に未対応の録画装置へ出力する。
【００２９】
図１に示すように、映像出力装置１００は、受信回路１１と、出力手段としての出力回路１２と、ＯＳＤ（On Screen Display）回路１３と、ディスプレイ１４と、出力モード選択手段１５と、制御手段としての制御部１６とから構成されている。
【００３０】
受信回路１１は、図示しないアンテナから受信した受信信号を処理するための回路である。アンテナから送られてきた放送信号に対して、選局、復調などの処理を行った後、得られた信号を出力回路１２へ供給する回路である。
【００３１】
出力回路１２は、受信回路１１から出力された信号をデコードして、ＯＳＤ回路１３からのＯＳＤ画像信号との重畳処理を行い、表示用画像信号を得てディスプレイ１４または録画装置へ出力する回路である。
【００３２】
ＯＳＤ回路１３は、ＯＳＤ画像信号の発生・処理を行う回路であり、制御部１６の制御により、ディスプレイ１４の画面上に選局チャンネル、音量、さらには操作設定を選択するためのメニュー等を表示するためのＯＳＤ画像信号を生成して出力回路１２に供給する。なお、ＯＳＤ回路１３を設けなくてもよい。
【００３３】
ディスプレイ１４は、例えばＬＣＤから構成される。このディスプレイ１４は、出力回路１２より送られてきた画像信号を画面上に表示するようになされる。ユーザはディスプレイ１４の画面上に表示されている操作メニューを用いて予約録画を設定することができる。例えば、放送局から送られた番組情報をテレビ画面に一覧で表示する電子番組ガイドにより、チャンネル、番組名、開始時間、終了時間などの情報を用いた番組予約の場合、画面に表示された番組一覧から番組を選択するだけででき、開始日時および終了時間などの入力がなくて間違いが少なく簡単に予約することが可能である。
【００３４】
なお、ディスプレイ１４には、例えば、ＣＲＴ（Cathode-Ray Tube）、ＥＬディスプレイ（Electroluminescence display）などを用いてもよい。
【００３５】
出力モード選択手段１５は、例えば、映像出力回路１２が電源オン時に映像信号を出力する第１の出力モードと、電源オン時に映像信号を出力しない第２の出力モードとを選択する切り替えスイッチを備えるものである。この切り替えスイッチは、ユーザがリモコンを用いて任意に操作して出力モードを選択することができる。この場合、ユーザがリモコンを用いて、ディスプレイ１４の画面上に表示される出力モード選択肢を選択することで出力モードを切り換える。
【００３６】
なお、例えばこの切り替えスイッチは、映像出力装置１００の本体の操作パネル部に設けられ、ユーザがリモコンを用いなくでも直接操作して出力モードを選択することができるようにしてもよい。
【００３７】
ここで、第１の出力モードは、映像出力回路１２が電源オン時に映像信号を出力すると共に、電源入り時且つ予約録画実行中の状態に、およびスタンバイ時且つ予約録画実行中の状態に映像信号を出力し、電源オフ時には映像信号を出力しない。第２の出力モードは、電源オン時に映像信号を出力しないようにすると共に、電源入り時且つ予約録画実行中の状態に、およびスタンバイ時且つ予約録画実行中の状態に映像信号を出力する。即ち、第２の出力モードでは、録画実行中のみ映像信号を出力し、電源オン状態で録画実行中でない場合は、映像信号を出力しないようにされている。
【００３８】
制御部１６は、例えば周知のようにＣＰＵ、ＲＯＭ、ＲＡＭを有している（図示せず）。ＣＰＵは、ＲＯＭに記憶された制御プログラム情報に従って、ＲＡＭをワークエリアとして使用しながら、映像出力装置１００の全体の動作を制御する。また、リモコン受信器（図示せず）により受信した操作制御信号は制御部１６に入力される。
【００３９】
また、この制御部１６は、出力回路１２を制御するための制御手段として、出力モード選択手段１５により第２の出力モードが選択された場合、電源オン時に映像信号を出力しないようにすると共に、電源オン時且つ予約録画実行中の状態に、およびスタンバイ時且つ予約録画実行中の状態に映像信号を出力するように出力回路１２を制御する。
【００４０】
なお、ユーザがメニュー等で選択することにより従来の映像出力と同じ使い方（上述した図６．図７参照）も可能である。
【００４１】
図２は、映像出力装置１００の映像出力制御方法を示す図である。図２（ａ）は、電源オン時の出力状態であり、図２（ｂ）は、電源オン時且つ予約録画実行中の出力状態であり、図２（ｃ）は、電源ＯＦＦ時の出力状態であり、図２（ｄ）は、スタンバイ時且つ予約録画実行中の出力状態である。図２に示すように、映像出力装置は電源オン時には予約中でない限り映像信号を予約録画装置に出力しないようになっている。
【００４２】
また、図３は、映像出力装置１００の状態と映像出力の関係を示す図である。図３に示すように、通常時において、電源「ＯＦＦ」と、電源「ＯＮ」状態では、映像出力装置１００から映像信号を出力しない。録画実行中において、電源「ＯＦＦ」と、電源「ＯＮ」状態では、映像出力装置１００から映像信号を出力するようになっている。
【００４３】
このように本実施の形態においては、受信回路１１と、出力回路１２と、出力モード選択手段としての出力モード選択手段１５と、制御手段としての制御部１６とを備え、この出力モード選択手段１５により第２の出力モードが選択された場合、電源オン時に映像信号を出力しないようにすると共に、電源オン時且つ予約録画実行中の状態に、およびスタンバイ時且つ予約録画実行中の状態に映像信号を出力するように制御するようになされる。
【００４４】
これにより、シンクロ録画機能を用いて録画する場合、映像出力を予約録画時のみに限定することで、シンクロ録画機能の誤動作を防止することができる。
【００４５】
また、今まではシンクロ録画機能を用いて電源オン時には予約録画はできなかった欠点を解決し、電源オン時にも予約録画を行うことが可能となり、シンクロ録画機能を最大に活用することができ、機器の特定などがないため非常に有効となる。
【００４６】
また、ユーザがメニュー等で選択することにより従来の映像出力方法で映像出力することもできる。
【００４７】
なお、上述実施の形態においては、予約録画中のみ映像を出力するように制御するものについて説明したが、これに限定されるものではない。例えば、ある条件が整った時のみ映像を出力するようにしてもよい。この場合、映像出力制御方法として幅広く応用することができる。
【００４８】
また、上述実施の形態においては、映像出力装置１００はテレビジョン受像機としたが、これに限定されるものではない。他の映像出力装置、例えばデジタル放送を受信できるチューナーにもこの発明を適用できる。
【００４９】
また、上述実施の形態においては、映像出力装置１００はテレビジョン受像機としたが、これに限定されるものではない。例えば音声放送を受信できる受信装置にもこの発明を適用できる。
【産業上の利用可能性】
【００５０】
以上のように、この発明に係る映像出力装置は、テレビジョン受信機、チューナー等の映像出力装置において、シンクロ録画する場合に、シンクロ録画機能の誤動作を防止する目的に適用できる。
【図面の簡単な説明】
【００５１】
【図１】実施の形態の映像出力装置の構成例を示す図である。
【図２】映像出力装置１００の映像出力例を示す図である。
【図３】映像出力装置１００および録画装置２００の状態と映像出力の関係を示す図である。
【図４】従来のリモコンで録画操作例を示す図である。
【図５】シンクロ録画機能例を示す図である。
【図６】従来の映像出力装置の映像出力例を示す図である。
【図７】従来の映像出力装置１および録画装置２の状態と映像出力の関係を示す図である。
【符号の説明】
【００５２】
１１・・・受信回路、１２・・・出力回路、１３・・・ＯＳＤ回路、１４・・・ディスプレイ、１５・・・出力モード選択手段、１６・・・制御部、１，１００・・・映像出力装置、２，２００・・・録画装置
【図１】
2005277604.tif 000003
【図２】
2005277604.tif 000004
【図３】
2005277604.tif 000005
【図４】
2005277604.tif 000006
【図５】
2005277604.tif 000007
【図６】
2005277604.tif 000008
【図７】
2005277604.tif 000009